(57)【要約】      （修正有）【課題】容易に折りたたみ形態と使用形態を切り替えることを可能としつつ、保水性をも有する携帯用虫かごを提供する。【解決手段】採取した水陸の小さな生き物を入れることができる携帯用虫かごであって、周壁部１と、該周壁部の上端を塞ぐ天面部２ａと、同周壁部の下端を塞ぐ底面部２ｂとを備え、上記周壁部１の一部分に網部３を有し、上記周壁部の該網部以外の全域をシート材１２で構成すると共に、上記天面部及び上記底面部の全域をボード材１３で構成し、上記周壁部を変形させて折りたたみ形態とすることができる一方、上記天面部、上記底面部及び上記網部で折りたたみ形態から使用形態への復帰を促すことを特徴とする。なお天面部と周壁部の間には線ファスナーなどから成る開閉部４を有している。さらに、上記網部以外はシート材とボード材で構成することにより保水性を有するため、水棲生物を少量の水や海水と共に入れることができる。【選択図】図１
2019141020.tif 000002
【特許請求の範囲】
【請求項１】
採取した水陸の小さな生き物を入れることができる携帯用虫かごであって、周壁部と、該周壁部の上端を塞ぐ天面部と、同周壁部の下端を塞ぐ底面部とを備え、上記周壁部の一部分に網部を有し、上記周壁部の該網部以外の全域をシート材で構成すると共に、上記天面部及び上記底面部の全域をボード材で構成し、上記周壁部を変形させて折りたたみ形態とすることができる一方、上記天面部、上記底面部及び上記網部で折りたたみ形態から使用形態への復帰を促すことを特徴とする携帯用虫かご。
【請求項２】
円筒状の全体形状を呈し、上記周壁部の上記網部以外の全域を上記シート材で構成することを特徴とする請求項１記載の携帯用虫かご。
【請求項３】
採取した水陸の小さな生き物を入れることができる携帯用虫かごであって、周壁部と、該周壁部の上端を塞ぐ天面部と、同周壁部の下端を塞ぐ底面部とを備え、上記周壁部の一部分又は上記天面部の一部分に網部を有し、上記周壁部の該網部以外の部分域をシート材で構成すると共にその余の部分域をボード材で構成し、上記天面部の上記網部以外の全域及び上記底面部の全域をシート材で構成し、上記周壁部のシート材で構成した部分域、上記天面部及び上記底面部を変形させて折りたたみ形態とすることができる一方、上記周壁部のボード材で構成した部分域及び上記網部で折りたたみ形態から使用形態への復帰を促すことを特徴とする携帯用虫かご。
【請求項４】
角筒状又は箱状の全体形状を呈し、上記周壁部のうち、少なくとも対向する一対の面を上記ボード材で構成することを特徴とする請求項３記載の携帯用虫かご。
【請求項５】
上記シート材は合成樹脂製であり、上記ボード材は合成樹脂製であること特徴とする請求項１乃至請求項４の何れかに記載の携帯用虫かご。
【請求項６】
上記シート材たる合成樹脂製シートに変形と保形の両立のための凹凸を形成することを特徴とする請求項５記載の携帯用虫かご。
【発明の詳細な説明】
【技術分野】
【０００１】  本発明は昆虫・爬虫類・ヤドカリ・カニなどの水陸の小さな生き物を入れることができると共に、折りたたみ可能で携帯に至便な虫かごに関するものである。
【背景技術】
【０００２】  従来の携帯用虫かごとしては、下記特許文献１に示すものが開発されている。下記特許文献１の携帯用虫かごは、スパイラルばねに沿って筒状にネットを張った構成を有し、該スパイラルばねによって形状を保つことができる一方、該スパイラルばねをその弾性に抗して縮めれば容易に折りたたむことができるものであった。
【先行技術文献】
【特許文献１】特開２００５−１６８４１８号公報
【発明の概要】
【発明が解決しようとする課題】
【０００３】  上記特許文献１の携帯用虫かごは、生き物収容空間を画成する周壁部の全域がネットで構成されていることにより、当然に保水性がなく、水と一緒に水棲生物を入れることはできない欠点がある。【０００４】  また、容易に折りたたむことができるとしても、その折りたたみ状態はスパイラルばねを縮めた状態であり、スパイラルばねが伸びないように両端部を係止しておく必要がある。
【課題を解決するための手段】
【０００５】  本発明は、容易に折りたたみ形態と使用形態を切り替えることを可能としつつ、保水性をも有する携帯用虫かごを提供する。【０００６】  本発明に係る携帯用虫かごは、採取した水陸の小さな生き物を入れることができる携帯用虫かごであって、周壁部と、該周壁部の上端を塞ぐ天面部と、同周壁部の下端を塞ぐ底面部とを備え、上記周壁部の一部分に網部を有し、上記周壁部の該網部以外の全域をシート材で構成すると共に、上記天面部及び上記底面部の全域をボード材で構成し、上記周壁部を変形させて折りたたみ形態とすることができる一方、上記天面部、上記底面部及び上記網部で折りたたみ形態から使用形態への復帰を促すことを特徴とする。【０００７】  好ましくは、円筒状の全体形状を呈し、上記周壁部の上記網部以外の全域を上記シート材で構成することを特徴とする。【０００８】  また、本発明に係る携帯用虫かごは、採取した水陸の小さな生き物を入れることができる携帯用虫かごであって、周壁部と、該周壁部の上端を塞ぐ天面部と、同周壁部の下端を塞ぐ底面部とを備え、上記周壁部の一部分又は上記天面部の一部分に網部を有し、上記周壁部の上記網部以外の部分域をシート材で構成すると共にその余の部分域をボード材で構成し、上記天面部の上記網部以外の全域及び上記底面部の全域をシート材で構成し、上記周壁部のシート材で構成した部分域、上記天面部及び上記底面部を変形させて折りたたみ形態とすることができる一方、上記周壁部のボード材で構成した部分域及び上記網部で折りたたみ形態から使用形態への復帰を促すことを特徴とする。【０００９】  好ましくは、角筒状又は箱状の全体形状を呈し、上記周壁部のうち、少なくとも対向する一対の面を上記ボード材で構成することを特徴とする。【００１０】  また、シート材は合成樹脂製であり、上記ボード材は合成樹脂製であること特徴とする。【００１１】  好ましくは、上記シート材たる合成樹脂製シートに変形と保形の両立のための凹凸を形成することを特徴とする。
【発明の効果】
【００１２】本発明は、容易に折りたたみ形態と使用形態を切り替えることを可能としつつ、保水性をも有する携帯用虫かごを提供する。
【図面の簡単な説明】
【００１３】
【図１】実施例１に係る携帯用虫かごを示す斜視図である。
【図２】図１の携帯用虫かごを折りたたんだ状態の斜視図である。
【図３】図１の携帯用虫かごを長手軸方向を横にして使用した状態の斜視図である。
【図４】実施例２に係る携帯用虫かごを示す斜視図である。
【図５】図４の携帯用虫かごを折りたたんだ状態の斜視図である。
【図６】図４の携帯用虫かごを長手軸方向を横にして使用した状態の斜視図である。
【図７】実施例３に係る携帯用虫かごを示す斜視図である。
【図８】図７の携帯用虫かごを折りたたんだ状態の斜視図である。
【図９】図７の携帯用虫かごを長手軸方向を横にして使用した状態の図である。
【図１０】実施例４に係る携帯用虫かごを示す斜視図である。
【図１１】凹凸の他例を示す説明図である。
【図１２】実施例５に係る携帯用虫かごを示す斜視図である。
【図１３】本発明に係る携帯用虫かごから生き物を飼育ケースに移す様子を示す説明図である。
【図１４】本発明に係る携帯用虫かごをカップホルダーで保持した様子を示す説明図である。
【図１５】本初発明に係る携帯用虫かごに水棲生物と共に水や海水を入れた図である。
【発明を実施するための形態】
【実施例１】
【００１４】  本実施例に係る携帯用虫かごは、図１乃至図３に示すように、円筒状の全体形状を呈し、基本構造として、周壁部１と、周壁部１の上端を塞ぐ天面部２ａと、周壁部１の下端を塞ぐ底面部２ｂを備え、周壁部１の上部における周方向の一部分に網部３を有する構成となっている。なお天面部２ａと底面部２ｂはストラップ等を取り付けるための環状部５ａ、５ｂ、５ｃを有しており、天面部２ａと周壁部１間には線ファスナーなどから成る開閉部４を有する。【００１５】  また、上記周壁部１の上記網部３以外の全域をシート材１２で構成すると共に、上記天面部２ａ及び上記底面部２ｂの全域をボード材１３で構成する。ここで、本発明において、シート材１２とは耐水性を有する変形自在なゴム、合成樹脂、天然樹脂製のシートから成る容易に折り返すことができる軟質材をいい、ボード材１３とは耐水性を有するゴム、合成樹脂、天然樹脂のボードから成る容易には折り返すことはできない硬質材をいう。【００１６】  また、網部３は通気のみならず、硬質の合成樹脂や金属の線材から成り、折りたたみ形態から使用形態への復帰に貢献する。網部３の構造は編成構造又は非編成構造の何れでもよい。【００１７】  既述した構成の本実施例に係る携帯用虫かごにあっては、図２に示すように、上記周壁部１のシート材１２で構成した部分を容易に折り返して折りたたみ形態とすることができる一方、ボード材１３で構成した上記天面部２ａ及び上記底面部２ｂ、並びに上記網部３で図２の折りたたみ形態から図１の使用形態への復帰を促すことができる。よって、生き物との突然の出会いに備えて折りたたみ形態で携帯できると共に、折りたたみ形態から使用形態にすばやく復帰して捕獲した生き物をつぶさずに持ち帰ることができる。【００１８】  また、本実施例に係る携帯用虫かごにあっては、長手軸方向を横にして使用することでき、このように横使いしたときには生き物が窮屈なく動ける利点がある。【００１９】  さらに、本実施例に係る携帯用虫かごは、上記網部３以外はシート材１２とボード材１３で構成することにより保水性を有するため、図１５に示すように、水棲生物１４を少量の水や海水１５と共に入れることができる。【００２０】  なお、本実施例に係る携帯用虫かごにて、無事に自宅等まで生き物を持ち帰った後は、図１３に示すように、飼育ケース蓋８を介して飼育ケース９内に容易に生き物７を入れ替えることができる。また、本実施例に係る携帯用虫かごは、円筒状の全体形状を呈するので、周壁部１の外径を調整すれば、図１４に示すように、カップホルダー１０にて保持することも可能である。
【実施例２】
【００２１】  本実施例に係る携帯用虫かごは、図４乃至図６に示すように、基本構造としては実施例１と同様であるが、網部３を周壁部１の上部に周方向に連続して有する点で実施例１と異なり、実施例１よりも通気がよくなり、生き物の観察も容易になる。【００２２】  本実施例においても、実施例１と同様に、図５に示す如く、シート材１２に起因して容易に折りたたむことができると共に、網部３及びボード材１３に起因して図５の折りたたみ形態から図４の使用形態へと容易に復帰することができる。
【実施例３】
【００２３】  本実施例に係る携帯用虫かごは、図７乃至図９に示すように、基本構造としては実施例１と同様であるが、実施例１の携帯用虫かごが円筒状の全体形状を有するのに対し、本実施例の携帯用虫かごは略半円筒状の全体形状を有する。すなわち、周壁部１には曲面形状の部分と平面形状の部分とが存する。したがって、実施例１よりも長手軸方向を横にして使用したときには安定して置くことができ、生き物の観察も容易になる。【００２４】  また、本実施例において、周壁部１の曲面形状部分に網部３を有し、その近傍に開閉部４を有している。【００２５】  本実施例においても、実施例１と同様に、図８に示す如く、シート材１２に起因して容易に折りたたむことができると共に、網部３およびボード材１３に起因して図８の折りたたみ形態から図７の使用形態へと容易に復帰することができる。
【実施例４】
【００２６】  本実施例に係る携帯用虫かごは、これまでの実施例とは異なり、図１０に示すように、角筒状又は箱状の全体形状を呈し、基本構造として、周壁部１と、該周壁部１の上端を塞ぐ天面部２ａと、周壁部１の下端を塞ぐ底面部２ｂとを備え、天面部２ａの一部分に網部３を有し、周壁部１を構成する二対の対向する面の内の部分域、つまり一対の対向する面をシート材１２で構成すると共にその余の部分域、つまり残りの一対の対向する面６ａ・６ｂをボード材１３で構成し、天面部２ａの上記網部３以外の全域及び底面部２ｂの全域をシート材１２で構成し、周壁部１のシート材１２で構成した部分域、天面部２ａ及び底面部２ｂを変形させて折りたたみ形態とすることができる一方、周壁部１のボード材１３で構成した部分域（一対の対向面６ａ・６ｂ）及び網部３で折りたたみ形態から使用形態への復帰を促すことができる。【００２７】  また、本実施例においては、シート材１２に変形と保形の両立のための凹凸１６を形成する。凹凸１６は、例えば図１１（ａ）に示すように、有底穴の穿設により形成したり、同図（ｂ）に示すように、溝を設けて形成したり、同図（ｃ）に示すように、突起を設けて形成したり、同図（ｄ）に示すように、突条を設けて形成することができるが、本発明において凹凸の形成方法はこれらに限られず、シート材１２の変形と保形の両立を図ることができれば、いかような凹凸も実施に応じ任意である。なお、本実施例以外の実施例におけるシート材１２に凹凸１６を形成することができることも勿論である。【００２８】  本実施例においても実施例１と同様にシート材１２に起因して容易に折りたたむことができると共に、網部３およびボード材１３に起因して折りたたみ形態から図１０の使用形態へと容易に復帰することができる。
【実施例５】
【００２９】  本実施例に係る携帯用虫かごは、図１２に示すように、角筒状又は箱状の全体形状を呈し、基本構造として、周壁部１の一部分に網部３を有し、周壁部１を構成する二対の対向する面の内の部分域、つまり一対の対向する面をシート材１２で構成すると共にその余の部分域、つまり残りの一対の対向する面６ａ・６ｂをボード材１３で構成し、天面部２ａの全域及び底面部２ｂの全域をシート材１２で構成し、天面部２ａに開閉部４を有している。周壁部１のシート材１２で構成した部分域、天面部２ａ及び底面部２ｂを変形させて折りたたみ形態とすることができる一方、周壁部１のボード材１３
で構成した部分域（一対の対向面６ａ・６ｂ）及び網部３で折りたたみ形態から使用形態への復帰を促すことができる。【００３０】  本発明同様の製造法で本虫かごを耐久性が有する天然樹脂素材で構成しかぶせ蓋、また蓋の開閉部分に粘着性を装着することにより簡易的で折りたたみ可能でかつ使い捨て用も提供できる。【００３１】  本実施例に係る携帯用虫かごは、図１３に示すように、携帯用虫かごの中の生き物７を飼育ケース蓋８を介して飼育ケース９内に容易に生き物７を入れ替えることができる。利便性は生き物７を移す際に逃げられることなく、生き物７が苦手な人でも、容易にできることである。【００３２】  本実施例に係る携帯用虫かごは、図１４に示すように、円筒状の全体形状を呈するので、周壁部１の外径を調整すれば、カップホルダー１０にて保持することが可能である。【００３３】  本実施例に係る携帯用虫かごは図１５が示すように、上記網部３以外はシート材１２とボード材１３で構成することにより保水性を有するため、水棲生物１４を少量の水や海水１５と共に入れることができる。
【符号の説明】
【００３４】１…周壁部、２ａ…天面部、２ｂ…底面部、３…網部、４…開閉部、５ａ…環状部、５ｂ…環状部、５ｃ…環状部、６ａ・６ｂ…対向する一対の面、７…生き物、８…飼育ケース蓋、９…飼育ケース、１０…カップホルダー、１１…ストラップ、１２…シート材、１３…ボード材、１４…水棲生物、１５…水や海水、１６…凹凸。
【図１】
2019141020.tif 000003
【図２】
2019141020.tif 000004
【図３】
2019141020.tif 000005
【図４】
2019141020.tif 000006
【図５】
2019141020.tif 000007
【図６】
2019141020.tif 000008
【図７】
2019141020.tif 000009
【図８】
2019141020.tif 000010
【図９】
2019141020.tif 000011
【図１０】
2019141020.tif 000012
【図１１】
2019141020.tif 000013
【図１２】
2019141020.tif 000014
【図１３】
2019141020.tif 000015
【図１４】
2019141020.tif 000016
【図１５】
2019141020.tif 000017